(57)【要約】【課題】マクロ撮影時にレンズに備えられたＬＥＤライトとストロボが同時に点灯することで、撮影後の画像に予期しない影が発生しえる。【解決手段】ＬＥＤライトとストロボの両方が装着されているときでマクロ撮影モードであることを検知したときはストロボの動作を無効とし、ＬＥＤライトのみ動作するようにしたことを特徴とする。【選択図】図１
2018025581.tif 000002
【特許請求の範囲】
【請求項１】
レンズとカメラとストロボから構成され、
前記レンズは、
被写体照明用の複数の光源素子からなる照明手段と、
マクロモードと非マクロモードのレンズ配置を切換える切換手段と、
前記照明手段の点灯制御を行うレンズ制御手段とを備え、
前記カメラは、
前記ストロボの点灯制御を行うカメラ制御手段を備えた光学機器において、
前記レンズのマクロモードを使用時は前記ストロボを無効にして前記照明手段のみを使用するようにしたことを特徴とする光学機器。
【請求項２】
請求項１記載の光学機器において、
前記切換手段の状態を前記レンズ制御手段から前記カメラ制御手段へ通知するようにしたことを特徴とする請求項１に記載の光学機器。
【請求項３】
請求項１記載の光学機器において、
前記カメラ制御手段からの命令によって前記切換手段が切換えられることを特徴とする請求項１に記載の光学機器。
【請求項４】
レンズとカメラとストロボから構成され、
前記レンズは、
被写体照明用の複数の光源素子からなる照明手段と、
前記照明手段の点灯制御を行うレンズ制御手段とを備え、
かつ撮影距離領域においてマクロ領域と非マクロ領域を備え、
前記カメラは、
前記ストロボの点灯制御を行うカメラ制御手段を備えた光学機器において、
マクロ領域か非マクロ領域かを前記レンズ制御手段から前記カメラ制御手段へ通知し、
マクロ領域にあるときは前記ストロボを無効にして前記照明手段のみを使用するようにしたことを特徴とする光学機器。
【発明の詳細な説明】
【技術分野】
【０００１】
本発明は、レンズとカメラ本体から構成される撮影システムなどの光学機器に関する。
【背景技術】
【０００２】
カメラにおいて被写体を至近距離で撮影する場合、近過ぎてカメラ本体やレンズ、撮影者等により被写体に影ができ、良好な撮影ができない状況が発生するときがある。このようなとき、レンズ先端に円環状のライトを装着して撮影される。近年はＬＥＤの高輝度化、低価格化によりＬＥＤライトを備えたレンズが一般化してきている。ところでＬＥＤライトを備えたレンズを使用しながらストロボを装着したとき、ＬＥＤライトに加えてストロボが発行する場合がありえる。ＬＥＤライトが点灯しているとはいえ、ストロボの輝度は高く、被写体に予期せぬストロボによる影ができうるという問題があった。
【先行技術文献】
【特許文献】
【０００３】
【特許文献１】特許第３７２８１８５号公報
【発明の概要】
【発明が解決しようとする課題】
【０００４】
しかしながら、上述の特許文献に開示された従来技術は、オートポップアップさせた発光部が使用者により収納位置に戻されたときは、一時的にストロボの自動発光を禁止するというものである。もともとの上述の特許の目的とは異なりはするが、ＬＥＤライトとの同時点灯を防ぐという見地からは本課題の解決にも一時的には有効である。しかし、撮影頻度が高いと毎回ポップアップされた発光部を収納させる必要があり煩わしい。
【０００５】
本発明の目的は、ＬＥＤライトとストロボの両方が装着されているときでマクロ撮影モードであることを検知したときはストロボの動作を無効とし、ＬＥＤライトのみ動作するよう制御する機能を備えた光学機器を提供することである。
【課題を解決するための手段】
【０００６】
本発明の光学機器は、レンズとカメラとストロボから構成され、前記レンズは被写体照明用の複数の光源素子からなる照明手段と、マクロモードと非マクロモードのレンズ配置を切換える切換手段と、前記照明手段の点灯制御を行うレンズ制御手段とを備え、前記カメラは前記ストロボの点灯制御を行うカメラ制御手段を備えた光学機器において、前記レンズのマクロモードを使用時は前記ストロボを無効にして前記照明手段のみを使用するようにしたことを特徴とする。
【０００７】
更には、レンズとカメラとストロボから構成され、前記レンズは被写体照明用の複数の光源素子からなる照明手段と、前記照明手段の点灯制御を行うレンズ制御手段とを備え、かつ撮影距離領域においてマクロ領域と非マクロ領域を備え、前記カメラは前記ストロボの点灯制御を行うカメラ制御手段を備えた光学機器において、マクロ領域か非マクロ領域かを前記レンズ制御手段から前記カメラ制御手段へ通知し、マクロ領域にあるときは前記ストロボを無効にして前記照明手段のみを使用するようにしたことを特徴とする。
【発明の効果】
【０００８】
本発明によれば、ＬＥＤライトを備えたレンズとカメラとストロボから構成された光学機器において、マクロ撮影モードであることを検知したときはストロボの動作を無効とし、ＬＥＤライトのみ動作するよう制御する機能を備えた光学機器を提供することができる。
【図面の簡単な説明】
【０００９】
【図１】本発明の実施形態のカメラシステムのブロック図
【図２】ストロボとレンズのＬＥＤライトの点灯制御についての制御フロー
【発明を実施するための形態】
【００１０】
以下に、本発明の好ましい実施形態を、添付の図面に基づいて詳細に説明する。
【００１１】
［実施例１］
図１は本実施形態の、交換レンズユニットと該交換レンズユニットが着脱可能に装着されるカメラボディから構成されるカメラシステムのブロック図の一例である。図１において、カメラシステム１００（光学機器）は交換レンズユニット２００（レンズ）とカメラボディ３００（カメラ）から構成される。
【００１２】
カメラボディ３００内には、カメラマウント３０１、接点ブロック３０２、カメラＣＰＵ３０３（カメラ制御手段）、制御系電源３０４、駆動系電源３０５、カメラ通信Ｉ／Ｆ部３０６、レンズ装着検出部３０７、測距ユニット３０８、接眼検知部３０９、液晶表示部３１０、シャッターボタン３１１、ストロボ３１２が設けられている。
【００１３】
カメラマウント３０１は、交換レンズユニット２００を後述のレンズマウント２０１を介してカメラボディ３００に機械的に着脱可能にする。接点ブロック３０２は複数の通信端子を有し、カメラマウント３０１に交換レンズユニット２００を装着した際に後述の交換レンズユニット側の接点ブロック２０２に結合される。カメラＣＰＵ３０３はカメラボディ３００のすべての制御を司っており、内部にはＲＡＭ，ＲＯＭ，ＥＥＰＲＯＭ等を内蔵している。制御系電源３０４は、測距ユニット３０８や不図示の測光部等の電力消費量が比較的少なく安定した出力電圧を必要とする制御系回路に電力を供給する。
【００１４】
駆動系電源３０５は、交換レンズユニット２００や不図示のシャッタ制御部等の電力消費量が比較的多い駆動系回路に電力を供給する。前記制御系電源３０４と前記駆動系電源３０５は不図示の電池から供給される。カメラ通信Ｉ／Ｆ部３０６は後述のレンズＣＰＵ２０３と通信を行うためのＩ／Ｆ回路で、測距情報や測光情報、ＩＤ情報、電源等を送受信する。レンズ装着検出部３０７は交換レンズユニット２００が装着されたことを検出する。測距ユニット３０８は交換レンズユニット２００からの光束を用いて被写体までのデフォーカス量を検出する、いわゆる位相差検出型の測距ユニットである。
【００１５】
接眼検知部３０９はファインダに眼を接眼しているかどうかを検知してカメラＣＰＵ３０３に伝える。液晶表示部３１０は、カメラの設定状態の表示や撮像画面のライブビュー表示、静止画撮像時のプレビュー表示等を行う液晶表示画面である。３１１は撮像操作のためのシャッターボタンである。３１２は内蔵ストロボ（ストロボ）であるが、システムによっては外付けのストロボになる。
【００１６】
交換レンズユニット２００内には、レンズマウント２０１、接点ブロック２０２、レンズＣＰＵ２０３（レンズ制御手段）、フォーカスレンズ２０４、フォーカスレンズ駆動部２０５、絞り羽根２０６、絞り開放位置検出センサ２０７、ステッピングモータ２０８、絞り駆動部２０９、レンズ通信Ｉ／Ｆ部２１０、ＬＥＤ素子２１１（複数のＬＥＤ素子によりＬＥＤライトを構成：照明手段）、ＬＥＤ駆動部２１２、沈胴領域検知部２１３、マクロ領域検知部２１４（切換手段）、ＬＥＤ素子点灯ボタン２１５が設けられている。
【００１７】
レンズマウント２０１は、カメラボディ３００をカメラマウント３０１を介して交換レンズユニット２００に機械的に着脱可能にする。接点ブロック２０２は複数の通信端子を有し、レンズマウント２０１にカメラボディ３００を装着した際にカメラボディ側の接点ブロック３０２に結合される。レンズＣＰＵ２０３は交換レンズユニット２００内のすべての制御を司っており、内部にはＲＡＭ、ＲＯＭ、ＥＥＰＲＯＭ、後述するステッピングモータ２０８を駆動するための駆動制御部等を内蔵している。フォーカスレンズ駆動部２０５はレンズＣＰＵ２０３からの命令に従ってフォーカスレンズ２０４を光軸に沿って駆動させることで焦点調節を可能にしている。
【００１８】
絞り駆動部２０９はレンズＣＰＵ２０３からの命令に従ってステッピングモータ２０８を回転させることで絞り羽根２０６を駆動し、絞り値（Ｆ値）を制御している。絞り開放位置検出センサ２０７はフォトインタラプタ等のセンサで構成されており、絞り羽根が開放位置か否かを検出し、その検出結果はレンズＣＰＵ２０３によって管理されている。レンズ通信Ｉ／Ｆ部２１０はカメラＣＰＵ３０３と通信を行うためのＩ／Ｆ回路で、測距情報や測光情報、ＩＤ情報、電源等を送受信する。ＬＥＤ駆動部２１２はレンズＣＰＵ２０３からの指示に従ってＬＥＤ素子２１１を点灯制御する。
【００１９】
沈胴領域検知部２１３、マクロ領域検知部２１４は可変抵抗器やフォトインタラプタ等のセンサーによりレンズの位置が沈胴領域にあるかないか、またマクロ領域にあるかないかをそれぞれ検知しレンズＣＰＵ２０３に伝える。ただ、本実施例ではレンズの沈胴状態やマクロ状態を手動で切換える場合を想定しており、レンズによってはカメラＣＰＵ３０３からの指令により電動制御で切り替える場合がある。この場合はカメラＣＰＵ３０３からの沈胴状態指令やマクロ状態指令を受信することが検知することに相当する。ＬＥＤ素子点灯ボタン２１５はユーザーが前記ＬＥＤ素子２１１を点灯したいときにＯＮ操作し、消灯したいときにＯＦＦ操作するボタンである。
【００２０】
図２はカメラのストロボ３１２とレンズのＬＥＤライト２１１（ＬＥＤ素子）の点灯制御についての制御フローを示している。通常のレンズ制御中（Ｓ２０１）にマクロ領域検知部２１４によりレンズのマクロ状態を検知したときは（Ｓ２０２）、ストロボ３１２は常時消灯とし（Ｓ２０３）、ＬＥＤライト２１１の点灯制御のみ有効とする（Ｓ２０４）。マクロ状態でないことを検知したときは（Ｓ２０２）、ＬＥＤライト２１１は常時消灯とし（Ｓ２０５）、ストロボ３１２は通常の発光制御を行う（Ｓ２０６）。
【００２１】
上記実施形態のように制御することで、ストロボ３１２とレンズのＬＥＤライト２１１の両方が装着されたカメラにおいてマクロ撮影するとき、両方が同時に点灯することで、ストロボ３１２による予期せぬ影ができしまうということを防ぐことができる。
【００２２】
勿論実施形態における自動での点灯・消灯制御が実際の使用条件に対して不都合な場合も出てくるが、そのときはＬＥＤライト２１１に対する手動での点灯・消灯操作が優先されるよう、液晶表示部３１０の設定メニューや別のボタンで設定できるようにすればよい。
【００２３】
以上、本実施形態について説明したが、本発明は本実施形態に限定されず、その要旨の範囲内で種々の変形及び変更が可能である。例えば、ＬＥＤライト２１１はレンズ内蔵として説明したが、外付けのＬＥＤライトと交換レンズユニット２００とカメラボディ３００が連動して動作してもよい。
【産業上の利用可能性】
【００２４】
本発明の光学機器は、交換レンズ、交換レンズが着脱可能なカメラ本体、交換レンズとカメラ本体から構成される撮影システムに適用することができる。
【符号の説明】
【００２５】
１００…カメラシステム
２００…交換レンズユニット
２０１…レンズマウント
２０２…接点ブロック
２０３…レンズＣＰＵ
２０４…フォーカスレンズ
２０５…フォーカスレンズ駆動部
２０６…絞り羽根
２０７…絞り開放位置検出センサ
２０８…ステッピングモータ
２０９…絞り駆動部
２１０…レンズ通信Ｉ／Ｆ部
２１１…ＬＥＤ素子（ＬＥＤライト）
２１２…ＬＥＤ駆動部
２１３…沈胴領域検知部
２１４…マクロ領域検知部
２１５…ＬＥＤ素子点灯ボタン
３００…カメラボディ
３０１…カメラマウント
３０２…接点ブロック
３０３…カメラＣＰＵ
３０４…制御系電源
３０５…駆動系電源
３０６…カメラ通信Ｉ／Ｆ部
３０７…レンズ装着検出部
３０８…測距ユニット
３０９…接眼検知部
３１０…液晶表示部
３１１…シャッターボタン
３１２…ストロボ
【図１】
2018025581.tif 000003
【図２】
2018025581.tif 000004